(57)【要約】      （修正有） 【課題】長期間の陳列販売時においても外表面部に霜が付着し難く、且つ自由な外装デザインが可能であり、他社製品との差別化が可能な、冷凍食品の収納構造を提供する。【解決手段】冷凍された調理済みの固形食品を密封する、冷凍食品の収納構造であって、ハンバーグ１１などの固形食品を、真空状態下で内部に封入する第一の包装体１２と、上記第一の包装体を常圧下で封入する第二の包装体１３とを備えた構成とする。【選択図】図１
0003167190.tif 000002
【実用新案登録請求の範囲】
【請求項１】
冷凍された調理済みの固形食品を収納する冷凍食品の収納構造であって、
上記固形食品を、真空状態下で内部に封入する第一の包装体と、
上記固形食品が封入された上記第一の包装体を、常圧下で封入する第二の包装体とを備えることを特徴とする冷凍食品の収納構造。
【請求項２】
上記第一の包装体は、深絞り加工により凹部が形成され、上記凹部に固形食品が収納される第一のシート材と、
上記第一のシート材の上記凹部の周縁部に形成されたフランジ部に熱溶着され、上記第一のシート材の凹部を被覆しうる第二のシート材とから形成され、
上記第二のシート材を熱溶着する際に、上記凹部に高温の水蒸気を吹き込み、更に上記第二のシート材を熱溶着した後に急速に冷却することによって、吹き込まれた高温水蒸気を液化させることによって、上記第一の包装体の内圧を低下させ、上記第一の収納対の内部を真空状態に保持することを特徴とする請求項１記載の冷凍食品の収納構造。
【請求項３】
上記第一の包装体の第一のシート材は、ポリエチレンテレフタレート、ポリアミド、シート状ポリエチレンから選択された一以上の素材から形成されると共に、
上記第二のシート材は、ポリプロピレン、ポリアミド、低密度ポリエチレンから選択された一以上の素材から形成され、
上記第二の包装体は、二軸延伸ポリプロピレン、ポリエチレンから選択された一以上の素材から形成されていることを特徴とする請求項２記載の冷凍食品の収納構造。
【請求項４】
上記第二の包装体の外表面部には、所定の字絵が表示されていることを特徴とする請求項１または請求項２記載の冷凍食品の収納構造。
【請求項５】
上記食品はハンバーグであることを特徴とする請求項１記載の冷凍食品の収納構造。
【考案の詳細な説明】
【技術分野】
【０００１】
本考案は、調理済みの固形食品を冷凍状態で封入する収納構造に関し、特に、対象となる固形食品がハンバーグ等の所定の厚みを有するものである場合の冷凍食品の収納構造に関する。
【背景技術】
【０００２】
一般家庭において、ボイル、若しくは電子レンジ等により熱を加えることによって食することが可能となる冷凍食品は、既に広く流通しており、面倒な調理をすることなく、本格的な料理を味わえることから、近年その種類も多種多用となってきている。
【０００３】
その中でも、ハンバーグは、一般家庭においてはレストラン等で供される本格的な味を再現することが難しく、また、大人から子供まで広く好まれるメニューであることから、各食品メーカーから、複数種の商品が販売されいる。
このため、メーカー間での販売競争も激しく、陳列販売された場合に、消費者に対して、よりインパクトが強く、購入意欲を高める外装デザインにすることは、販売戦略上非常に重要な事項である。
【０００４】
一般的に、ハンバーグの冷凍食品は、調理済のハンバーグとデミグラスソース等のソース材料と共に、内部を真空状態にした包装体内に封入された状態で陳列販売されている。
冷凍食品の場合、常時マイナス１８℃以下で冷却されていることから、長期の陳列においては、ハンバーグが冷却されることによって、ハンバーグに密着している包装体も冷却され、この過程において、空気中に浮遊している水蒸気が包装体の外側面部で凍結し、霜状となって包装体の外側面部全域に付着する。
従って、冷凍陳列棚において、複数のメーカー製品が陳列されている場合、包装体の外側面部に付着した霜によって、商品名、メーカー名、及び商品写真等が見え難くなり、包装体に広告宣伝用のデザインを施しても、宣伝機能が充分に発揮できなくなるという不具合を有していた。
【０００５】
図３は、冷凍ハンバーグの包装体を示し（ａ）は包装体の正面図、（ｂ）は側面図を夫々示している。
図３（ａ）に示すよう、ハンバーグ７１は、真空状態で包装体７０に封入されている。
上記包装体７０は、２枚のシート材７２，７３から形成され、上記シート材７２、７３は周縁部において溶着固定されている。
また、真空状態とする方法としては、調理済のハンバーグ７１をソースと共に、若しくは単体で冷凍し、上記シート材７２，７３の溶着過程において、ポンプ等で内圧を低下させる方法が用いられている。
ハンバーグ７１は、上記収納体７０に封入後、再加熱によって殺菌される。
【０００６】
図３に示す包装体７０の構造の場合、ハンバーグ７１が封入されている部分７０ａには、皺７４等が発生するため、この部分の外表面部に字絵等の装飾を施しても、識別できなくなる虞がある。
このため、各メーカーとも、上記部分７１には、歪み等が発生しても視認性に大きな影響が無い、ハンバーグの写真を印刷し、上半部の外表面部７０ｂに商品名称、ロゴ等の装飾を施している。
従って、外観上のデザインが各メーカー間で酷似する傾向にあり、霜の付着により、商品名、メーカー名などが見え難くなることに加えて、上記皺７４等の発生により、包装体の外装デザインによる宣伝機能の発揮を、更に難しくしている。
【考案の開示】
【考案が解決しようとする課題】
【０００７】
本考案は上記のような、従来からの不具合を解決するためのものであって、その課題は、長期間の陳列販売時においても外表面部に霜が付着し難く、且つ自由な外装デザインが可能であり、他社製品との差別化が可能な、冷凍食品の収納構造を提供することにある。
【課題を解決するための手段】
【０００８】
上記課第を解決するため、請求項１記載の考案にあっては、冷凍された調理済みの固形食品を収納する冷凍食品の収納構造であって、上記固形食品を、真空状態下で内部に封入する第一の包装体と、上記固形食品が封入された上記第一の包装体を、常圧下で封入する第二の包装体とを備えることを特徴とする。
【０００９】
上記第二の包装体は、常圧下において、上記第一の包装体を封入するため、上記第二の包装体と上記第一の包装体の間には、上記第二の包装体内部に封入されている空気により、空気層が形成される。
このため、上記空気層によって、上記第一の包装体に封入されている固形食品の温度が上記第二の包装体の外表面部に伝導し難くなる。
【００１０】
また、請求項２記載の考案にあっては、上記第一の包装体は、深絞り加工により凹部が形成され、上記凹部に固形食品が収納される第一のシート材と、上記第一のシート材の上記凹部の周縁部に形成されたフランジ部に熱溶着され、上記第一のシート材の凹部を被覆しうる第二のシート材とから形成され、上記第二のシート材を熱溶着する際に、上記凹部に高温の水蒸気を吹き込み、更に上記第二のシート材を熱溶着した後に急速に冷却することによって、吹き込まれた高温水蒸気を液化させることによって、上記第一の包装体の内圧を低下させ、上記第一の収納対の内部を真空状態に保持することを特徴とする。
【００１１】
ハンバーグ等の加熱調理済の固形食品を、単体で冷凍することなく、第一の収納体に封入する場合、従来と同様に、ポンプ等によって第一の収納体内部の空気を抜く方法で上記第一の収納体の内部を真空化すると、上記第一の収納体の内圧低下に伴って、ハンバーグに付着しているデミグラスソースの沸点が低下して沸騰する虞があり、非常に危険である。
また、上記危険を回避するため、従来のように加熱調理済の固形食品を一旦冷凍した後に封入する方法を選択した場合は、消費者が食するまでの間に、冷凍、加熱過程を繰り返すことになるため、固形食品の風味や味が劣化する虞がある。
請求項２に係る発明の場合は、第一の包装体に封入する際に、上記第一の収納体の内圧が低下しないため、固形食品を一旦冷凍してから収納する必要が無い。
【００１２】
また、請求項３記載の考案にあっては、上記第一の包装体の第一のシート材は、ポリエチレンテレフタレート、ポリアミド、シート状ポリエチレンから選択された一以上の素材から形成されると共に、上記第二のシート材は、ポリプロピレン、ポリアミド、低密度ポリエチレンから選択された一以上の素材から形成され、上記第一の包装体は、二軸延伸ポリプロピレン、ポリエチレンから選択された一以上の素材から形成されていることを特徴とする。
【００１３】
また、請求項４記載の考案にあっては、上記第二の包装体の外表面部には、所定の字絵が表示されていることを特徴とする。
【００１４】
従って、上記第二の包装体の外表面部の任意部分に自由に装飾を施すことができる。
【００１５】
また、請求項５記載の考案にあっては、上記食品はハンバーグであることを特徴とする。
【考案の効果】
【００１６】
請求項１及び請求項５の考案にあっては、固形食品を、真空状態下で内部に封入する第一の包装体と、上記固形食品が封入された上記第一の包装体を、常圧下で封入する第二の包装体とを備えることから、上記第二の包装体内部に封入されている空気により、空気層が形成され、上記第一の包装体に封入されている固形食品の温度が上記第二の包装体の表面に伝導し難くなる。
従って、長期間の陳列販売時においても外表面部に霜が付着し難いため、上記第二の包装体に自由な外装デザインが可能であり、他社製品との差別化が可能な、冷凍食品の包装体を提供することができる。
【００１７】
また、請求項２記載の考案にあっては、上記第一の包装体は、深絞り加工により凹部が形成され、上記凹部に固形食品が収納される第一のシート材と、上記第一のシート材の上記凹部の周縁部に形成されたフランジ部に熱溶着され、上記第一のシート材の凹部を被覆しうる第二のシート材とから形成され、上記第二のシート材を熱溶着する際に、上記凹部に高温の水蒸気を吹き込み、更に  上記第二のシート材を熱溶着した後に急速に冷却することによって、吹き込まれた高温水蒸気を液化させることによって、上記第一の包装体の内圧を低下させ、上記第一の収納対の内部を真空状態に保持することから、ハンバーグ等、液体ソースを含む食品であっても、上記第一の包装体の内部を真空にする過程において、ソースが沸騰する虞が無く安全である。
また、加熱調理後の食品を、一旦冷凍することなく封入することが出来るため、食品の風味や味が劣化する虞がなく、より高品質の冷凍食品を提供することができる。
【００１８】
また、請求項３記載の考案にあっては、上記第一の包装体の第一のシート材は、ポリエチレンテレフタレート、ポリアミド、シート状ポリエチレンから選択された一以上の素材から形成されると共に、上記第二のシート材は、ポリプロピレン、ポリアミド、低密度ポリエチレンから選択された一以上の素材から形成され、上記第一の包装体は、二軸延伸ポリプロピレン、ポリエチレンから選択された一以上の素材から形成されていることから、封入する固形食品の種類に応じ、夫々の最適な性質を有する素材を適宜選択することができる。
【００１９】
また、請求項４記載の考案にあっては、上記第二の包装体の外表面部には、所定の字絵が表示されていることから、請求項１の効果に加え、更に多彩な外装デザインを施すことが可能であり、より広告宣伝効果を高めることができる。
【図面の簡単な説明】
【００２０】
【図１】本考案に係る冷凍食品の収納構造の一実施に形態を示し、実施例の形態における冷凍食品の収納構造を示す（ａ）は正面図、（ｂ）は側面図である。
【図２】本考案に係る冷凍食品の収納構造の一実施に形態を示し、実施例の形態における包装体のうち、第一の包装体への固形食品の封入過程を表す概念図であり、（ａ）は深絞り用の型を示す側面図、（ｂ）は深絞り用型に第一のシート材を載置して深絞り加工を行って凹部を形成させた状態を表す側面図、（ｃ）は上記凹部にハンバーグを収納した状態を示す側面図、（ｄ）は上記凹部の上方に第二のシート材を配置し、高温水蒸気を吹き込み、上記第一のシート材と上記第二のシート材とを溶着固定する過程を示す側面図である。
【図３】従来の冷凍食品の収納構造を示す（ａ）は正面図、（ｂ）は側面図である。
【考案を実施するための最良の形態】
【００２１】
本考案を実施するための形態について、固形食品がハンバーグである場合を例に、添付図面を用いて説明する。
図１（ａ）に示すように、本実施例に係る冷凍食品の収納構造１０は、固形食品であるハンバーグ１１を、真空状態下で内部に封入する第一の包装体１２と、上記第一の包装体１２を常圧下で封入する第二の包装体１３とを備えている。
また、図１（ｂ）に示すように、上記第一の包装体１２は、深絞り加工により凹部１６が形成されると共に、上記凹部１６にハンバーグ１１が収納される第一のシート材１４と、上記第一のシート材１４の上記凹部１６の周縁部に形成されたフランジ部１５に熱溶着され、上記第一のシート材１４の凹部１６を被覆しうる第二のシート材１７とから形成されている。
また、上記第二の包装体１３は、二軸延伸ポリプロピレン、ポリエチレンから適宜選択された一以上の素材から形成され、上記第一の包装体１２の第一のシート材１４は、ポリエチレンテレフタレート、ポリアミド、シート状ポリエチレンから適宜選択された一以上の素材から形成されると共に、上記第二のシート材１７は、ポリプロピレン、ポリアミド、低密度ポリエチレンから適宜選択された一以上の素材から形成されている。
また、図１（ａ）に示すように、上記第二の包装体１３の外表面部１３ａには、当該製品の名称、ロゴマーク等の所定の装飾字絵が印刷によって表示されている。
【実施例】
【００２２】
上記形態の実施例の構成について、添付図面を用いて詳述する。
図１は、本実施例に係る冷凍食品の収納構造を示す（ａ）は正面図、（ｂ）は側面図であり、図２は、第一の包装体１２へハンバーグを封入する過程を表す概念図である。
図１に示すように、第一の収納体１３は、正面略正方形に形成されている。
上記第一の収納体１３にハンバーグを収納する場合には、図２（ａ）、（ｂ）に示すように、深絞り用の型１８に、上記第二の収納体１３を形成する第一のシート材１４を載置して、深絞り加工を行うことによって、上記第一のシート材に凹部１６を形成する。
【００２３】
その後、上記第二のシート材１７の熱溶着前に、上記凹部１６に高温の水蒸気を吹き込み、上記第二のシート材１７を上記凹部１６の上方に配置して、上記第一のシート１４の凹部１６の周縁部に形成されたフランジ部１５と、上記第二のシート材１７の周縁部とを熱溶着し、その後に急速に冷却することによって、吹き込まれた高温水蒸気が液化し、上記第一の包装体１２の内圧が低下して、上記第一の包装体１２の内部は真空状態に保持される。
従って、加熱調理後のハンバーグを一旦冷凍することなく、上記第一の包装体１２に封入することが可能であるため、より高品質な状態に製品を保持することができる。
【００２４】
また、上記第二の収納体１３は、例えば、チューブ状に形成されたシート状の材料を所定の長さ寸法に切断し、上端及び下端が溶着されることによって形成することが可能であるが、上記第一の包装体１２を封入した後に、内部に空気層が形成される方法であれば、上記第二の収納体１３の形成方法は公知の方法を適宜選択することが可能である。
上記第二の収納体１３の形成方法によらず、上記第二の収納体１３と上記第一の収納体１２の間に形成された空気層によって、上記第二の包装体１３の外表面部１３ａの温度が冷却されずに保持され、霜等の発生によって、外装デザインが判別できなくなる事象を防止することができる。
また、上記第二の包装体１３の内部に空気層を有しているため、上記第一の包装体１２の凹凸に関係なく、上記第二の包装体１３の外表面部１３ａに制約無く、ロゴマーク等の装飾デザインを施すことが可能であり、他社製品との差別化がより容易となり、広告宣伝機能を発揮させ易くなる。
【００２５】
なお、本実施例に係るハンバーグ１１は、上記第二の包装体１３、及び第二の包装体１２を開封して、ハンバーグ１１を取り出し、別途の容器で電子レンジ加熱により調理することを想定しているが、本実施例の構成は、上記調理方法以外、例えば、第一の包装体１２にハンバーグ１１を封入したままボイル加熱する場合にも適用することが可能である。
【００２６】
なお、上記第一の包装体１２、及び第二の包装体１３の全体形状、および大きさ寸法に  ついては、封入する固形食品の形状等に合わせて、適宜調整することができる。
また、深絞り用の１８型の形状等についても、公知技術の範囲で適宜変更することができる。
また、開封を補助するために、開封用の切り込み２０，２１等を適宜配設することが可能であり、その場合であっても、本実施例と同様の作用及び効果を得ることができる。
【産業上の利用可能性】
【００２７】
本考案は、調理済みの固形食品を冷凍状態で封入する収納構造に関し、特に、対象となる固形食品がハンバーグ等の所定の厚みを有するものである場合の冷凍食品の収納構造に適用することができる。
【符号の説明】
【００２８】
１０  収納構造
１１  ハンバーグ
１２  第一の包装体
１３  第二の包装体
１３ａ第二の包装体の外表面部
１４  第一のシート材
１５  フランジ部
１６  凹部
１７  第二のシート材
１８  深絞り用の型
２０  開封用切り込み
２１  開封用切り込み
７０  包装体
７０ａ包装体のハンバーグ封入部
７０ｂ包装体の上半部
７１  ハンバーグ
７２  シート材
７３  シート材
７４  皺
【図１】
0003167190.tif 000003
【図２】
0003167190.tif 000004
【図３】
0003167190.tif 000005